(57)【特許請求の範囲】
【請求項１】
水道メータを中間金具に着脱可能に組み付けてなる水道メータシステムであって、前記中間金具には、水道管に接続される１対の水道管接続部と、上流側の前記水道管接続部に連通した上流側端部流路と、下流側の前記水道管接続部に連通した下流側端部流路とが形成され、水道水が前記上流側端部流路から前記水道メータを通過して前記下流側端部流路に流れるようにした水道メータシステムにおいて、
前記中間金具に設けられて、第１の位置と第２の位置との間で移動操作可能な可動部材を設け、前記可動部材が前記第１の位置に配置された場合には、前記上流側端部流路と前記水道メータとの間及び前記下流側端部流路と前記水道メータとの間が共に連通する一方、前記可動部材が前記第２の位置に配置された場合には、前記上流側端部流路と前記水道メータとの間及び前記下流側端部流路と前記水道メータとが共に断絶するように構成し、
前記可動部材に形成されて、前記可動部材が前記第２の位置に配置された場合に、前記上流側端部流路及び前記下流側端部流路の間を連絡する一方、
前記可動部材が前記第１の位置に配置された場合に、前記上流側端部流路及び前記下流側端部流路の少なくとも一方から切り離されて、それら上流側端部流路及び下流側端部流路の間を断絶するバイパス流路を備えたことを特徴とする水道メータシステム。
【請求項２】
前記可動部材に、前記上流側端部流路と前記下流側端部流路とに対応した上流側中継流路と下流側中継流路とを形成し、
前記可動部材が前記第１の位置に配置された場合には、前記上流側端部流路と前記上流側中継流路との間及び前記下流側端部流路と前記下流側中継流路との間が共に連通して、水道水が前記上流側端部流路から前記水道メータを通過して前記下流側端部流路に流れる一方、前記可動部材が前記第２の位置に配置された場合には、前記上流側端部流路と前記上流側中継流路との間及び前記下流側端部流路と前記下流側中継流路とが共に断絶するように構成したことを特徴とする請求項１に記載の水道メータシステム。
【請求項３】
前記可動部材は、円筒状をなしかつ内部に前記水道メータを受容すると共に、前記上流側中継流路及び前記下流側中継流路は、前記可動部材の周方向に離して配置され、
前記中間金具には、前記可動部材が嵌合可能なメータ受容部が形成されると共に、前記上流側端部流路及び前記下流側端部流路の各開口は、前記メータ受容部の周方向に離して配置され、前記可動部材は、前記メータ受容部に対して回動操作されて、前記第１の位置と前記第２の位置との間を移動するように構成されたことを特徴とする請求項２に記載の水道メータシステム。
【請求項４】
前記水道メータは、前記可動部材の内部に嵌合される円柱形状をなしかつその径方向に貫通した計測流路を有し、前記計測流路を流れる水道水の通過体積を、超音波、電磁誘導又は羽根車を利用して計量するように構成され、
前記可動部材が前記第１の位置に配置された場合に、前記上流側端部流路及び前記下流側端部流路の各開口と、前記上流側中継流路及び前記下流側中継流路と、前記計測流路とが同軸線上に配置されるように構成したことを特徴とする請求項３に記載の水道メータシステム。
【請求項５】
前記可動部材の一端部を前記水道メータシステムの外側に露出し、その露出部分に前記可動部材を操作するための操作部を備えたことを特徴とする請求項３又は４に記載の水道メータシステム。
【請求項６】
前記可動部材と前記水道メータとの間には、前記可動部材の内部への水道メータの挿抜を許容する一方、前記可動部材と前記水道メータとが一体回転するように係合する凸部及び凹部を備えたことを特徴とする請求項３又は４に記載の水道メータシステム。
【請求項７】
前記凸部は、前記可動部材と前記水道メータとの一方の周面から側方に突出形成され、前記凹部は、前記可動部材と前記水道メータとの他方の周面に形成され、前記可動部材と前記水道メータとの嵌合方向に延びた溝状をなしたことを特徴とする請求項６に記載の水道メータシステム。
【請求項８】
前記バイパス流路は、前記可動部材の周方向に沿って延びた溝形状であることを特徴とする請求項１乃至７の何れかに記載の水道メータシステム。
【請求項９】
前記バイパス流路は、前記可動部材の外周面の全周に亘って延びた環形状になっていることを特徴とする請求項８に記載の水道メータシステム。
【請求項１０】
前記バイパス流路は、前記上流側中継流路の近傍部分において、前記可動部材における円筒壁部の内部を通過しかつ、前記上流側中継流路と立体交差したことを特徴とする請求項２乃至７の何れかに記載の水道メータシステム。
【発明の詳細な説明】
【技術分野】
【０００１】
本発明は、水道メータを中間金具に組み付けてなる水道メータシステムであって、中間金具には、水道管に接続される１対の水道管接続部と、上流側の水道管接続部に連通した上流側端部流路と、下流側の水道管接続部に連通した下流側端部流路とが形成され、水道水が上流側端部流路から水道メータを通過して下流側端部流路に流れるようにした水道メータシステムに関する。
【背景技術】
【０００２】
従来より、この種の水道メータシステムは、水道メータの上流側と下流側とにそれぞれ止水部（具体的には、１対の回動操作弁）を備えた構造になっていた。そして、水道メータを取り外す際に、それら両方の止水部を閉じることで、水道メータが外された状態の中間金具から水道水が流出することを防止していた（例えば、特許文献１参照）。
【特許文献１】特開２０００−３２９６０１号公報（段落［００１１］〜［００１５］第１図、第２図）
【発明の開示】
【発明が解決しようとする課題】
【０００３】
ところが、上述した従来の水道メータシステムでは、水道メータを着脱する際に、２つの止水部を別々に操作する必要があるため、効率よく水道メータの着脱作業を行うことができなかった。
【０００４】
本発明は、上記事情に鑑みてなされたもので、従来より効率よく水道メータの着脱作業を行うことが可能な水道メータシステムの提供を目的とする。
【課題を解決するための手段】
【０００５】
上記目的を達成するためになされた請求項１の発明に係る水道メータシステムは、水道メータを中間金具に着脱可能に組み付けてなる水道メータシステムであって、中間金具には、水道管に接続される１対の水道管接続部と、上流側の水道管接続部に連通した上流側端部流路と、下流側の水道管接続部に連通した下流側端部流路とが形成され、水道水が上流側端部流路から水道メータを通過して下流側端部流路に流れるようにした水道メータシステムにおいて、中間金具に設けられて、第１の位置と第２の位置との間で移動操作可能な可動部材を設け、可動部材が第１の位置に配置された場合には、上流側端部流路と水道メータとの間及び下流側端部流路と水道メータとの間が共に連通する一方、可動部材が第２の位置に配置された場合には、上流側端部流路と水道メータとの間及び下流側端部流路と水道メータとが共に断絶するように構成し、可動部材に形成されて、可動部材が第２の位置に配置された場合に、上流側端部流路及び下流側端部流路の間を連絡する一方、可動部材が第１の位置に配置された場合に、上流側端部流路及び下流側端部流路の少なくとも一方から切り離されて、それら上流側端部流路及び下流側端部流路の間を断絶するバイパス流路を備えたたところに特徴を有する。
ここで、「中間金具」とは、水道管に水道メータを間接的に取り付けるための構造物であって、水道メータの業界では慣習上「中間金具」（「ＪＩＳ  Ｂ８５７０−１：２００５」を参照）と呼ばれているが、その材質は金属に限るものではなく、例えば、合成樹脂等の他の材質でもよい。
【０００６】
請求項２の発明は、請求項１に記載の水道メータシステムにおいて、可動部材に、上流側端部流路と下流側端部流路とに対応した上流側中継流路と下流側中継流路とを形成し、可動部材が第１の位置に配置された場合には、上流側端部流路と上流側中継流路との間及び下流側端部流路と下流側中継流路との間が共に連通して、水道水が上流側端部流路から水道メータを通過して下流側端部流路に流れる一方、可動部材が第２の位置に配置された場合には、上流側端部流路と上流側中継流路との間及び下流側端部流路と下流側中継流路とが共に断絶するように構成したところに特徴を有する。
【０００７】
請求項３の発明は、請求項２に記載の水道メータシステムにおいて、可動部材は、円筒状をなしかつ内部に水道メータを受容すると共に、上流側中継流路及び下流側中継流路は、可動部材の周方向に離して配置され、中間金具には、可動部材が嵌合可能なメータ受容部が形成されると共に、上流側端部流路及び下流側端部流路の各開口は、メータ受容部の周方向に離して配置され、可動部材は、メータ受容部に対して回動操作されて、第１の位置と第２の位置との間を移動するように構成されたところに特徴を有する。
【０００８】
請求項４の発明は、請求項３に記載の水道メータシステムにおいて、水道メータは、可動部材の内部に嵌合される円柱形状をなしかつその径方向に貫通した計測流路を有し、計測流路を流れる水道水の通過体積を、超音波、電磁誘導又は羽根車を利用して計量するように構成され、可動部材が第１の位置に配置された場合に、上流側端部流路及び下流側端部流路の各開口と、上流側中継流路及び下流側中継流路と、計測流路とが同軸線上に配置されるように構成したところに特徴を有する。
【０００９】
請求項５の発明は、請求項３又は４に記載の水道メータシステムにおいて、可動部材の一端部を前記水道メータシステムの外側に露出し、その露出部分に可動部材を操作するための操作部を備えたところに特徴を有する。
【００１０】
請求項６の発明は、請求項３又は４に記載の水道メータシステムにおいて、可動部材と水道メータとの間には、可動部材の内部への水道メータの挿抜を許容する一方、可動部材と水道メータとが一体回転するように係合する凸部及び凹部を備えたところに特徴を有する。
【００１１】
請求項７の発明は、請求項６に記載の水道メータシステムにおいて、凸部は、可動部材と水道メータとの一方の周面から側方に突出形成され、凹部は、可動部材と水道メータとの他方の周面に形成され、可動部材と水道メータとの嵌合方向に延びた溝状をなしたところに特徴を有する。
【００１２】
請求項８の発明は、請求項１乃至７の何れかに記載の水道メータシステムにおいて、バイパス流路は、可動部材の周方向に沿って延びた溝形状であるところに特徴を有する。
【００１３】
請求項９の発明は、請求項８に記載の水道メータシステムにおいて、バイパス流路は、可動部材の外周面の全周に亘って延びた環形状になっているところに特徴を有する。
【００１４】
請求項１０の発明は、請求項２乃至７の何れかに記載の水道メータシステムにおいて、バイパス流路は、上流側中継流路の近傍部分において、可動部材における円筒壁部の内部を通過しかつ、上流側中継流路と立体交差したところに特徴を有する。
【発明の効果】
【００１５】
［請求項１の発明］
請求項１の水道メータシステムで水道水の通過体積を計測する場合には、可動部材を第１の位置に配置する。すると、上流側端部流路と水道メータとの間及び下流側端部流路と水道メータとの間が共に連通して、水道水が上流側端部流路から水道メータを通過して下流側端部流路に流れる。これにより、上流側端部流路と下流側端部流路との間を流れる水道水の通過体積が水道メータによって計量される。また、水道メータを取り外す場合には、可動部材を第１の位置から第２の位置に移動する。すると、上流側端部流路と水道メータとの間及び下流側端部流路と水道メータとが共に断絶し、水道メータには水道水が流れなくなる一方、バイパス流路によって上流側端部流路及び下流側端部流路の間が連絡されるので、断水させることなく水道メータを着脱することができる。これにより、水道メータを取り外した後の中間金具からの水道水の放水が防がれる。このように本発明によれば、可動部材を第１と第２の位置の間で移動する一操作で、水道メータと上流側及び下流側の端部流路の両方を一度に開閉することができ、従来より効率よく水道メータの着脱作業を行うことが可能になる。しかも、バイパス流路は可動部材に形成されたので、上流側端部流路と下流側端部流路との間を配管部材で連絡した構成に比較して、部材数の削減が図られ、水道メータシステムの寸法を小さくすることができる。
【００１６】
［請求項２の発明］
請求項２の水道メータシステムで、可動部材を第１の位置に配置すると、水道水は、上流側端部流路、上流側中継流路を通って水道メータ内に流入し、水道メータから下流側中継流路、下流側端部流路を通って水道メータシステムの下流側に流出する。これにより、上流側端部流路と下流側端部流路との間を流れる水道水の通過体積が水道メータによって計量される。一方、水道メータを取り外す場合には、可動部材をメータ受容部の内側で第１の位置から第２の位置に移動する。すると、上流側端部流路と上流側中継流路との間及び下流側端部流路と下流側中継流路とが共に断絶され、計測ユニット側に水道水が流入しなくなる。これにより、水道メータを取り外した後の中間金具からの水道水の放水が防がれる。このように本発明によれば、可動部材を第１と第２の位置の間で移動する一操作で、水道メータと上流側及び下流側の端部流路の両方を一度に開閉することができ、従来より効率よく水道メータの着脱作業を行うことが可能になる。
【００１７】
［請求項３の発明］
請求項３の水道メータシステムによれば、可動部材をメータ受容部に対して回動操作することで、可動部材が第１の位置と第２の位置との間で移動する。
【００１８】
［請求項４の発明］
請求項４の水道メータシステムでは、可動部材が第１の位置から第２の位置に向けて回動すると、上流側中継流路及び下流側中継流路が、メータ受容部に形成された上流側端部流路及び下流側端部流路の各開口に対して徐々にずらされ、第２の位置に至ると上流側端部流路及び下流側端部流路の各開口が可動部材の外面により塞がれる。また、可動部材が第１の位置に配置されたときに水道水をスムーズに流すことができる。
【００１９】
［請求項５の発明］
請求項５の水道メータシステムでは、水道メータシステムの外側から可動部材を第１の位置と第２の位置との間で移動操作することができる。
【００２０】
［請求項６及び７の発明］
請求項６の水道メータシステムでは、水道メータを可動部材の内部へ挿抜可能としつつ、水道メータの回転操作により可動部材を第１の位置と第２の位置との間で移動させることができる。具体的には、凸部は、可動部材と水道メータとの一方の周面から側方に突出形成され、凹部は、可動部材と水道メータとの他方の周面に形成され、可動部材と水道メータとの嵌合方向に延びた溝状とすればよい（請求項７の発明）。
【００２１】
［請求項８及び９の発明］
請求項８の水道メータシステムでは、可動部材の外径を変更することなくバイパス流路を設けることができる。ここで、バイパス流路は、可動部材の外周面の全周に亘って延びた環形状であってもよい（請求項９の発明）。
【００２２】
［請求項１０の発明］
請求項１０の水道メータシステムでは、可動部材を第２の位置にした場合に、水道水を上流側端部流路から可動部材を構成する円筒壁部の内部を通して下流側端部流路に流すことができる。
【発明を実施するための最良の形態】
【００２３】
［第１実施形態］
本発明の第１実施形態を図１〜図５に基づいて説明する。図１には、本実施形態に係る水道メータシステム２００の全体構造が示されている。水道メータシステム２００のうち中間金具１０Ｂは、下端有底の円筒構造をなしたメータ受容部１１Ｂの外周面から相反する方向に１対の水道管接続部１１Ｊ，１１Ｋを延設した構造をなし、これら水道管接続部１１Ｊ，１１Ｋが、図示しない水道管に接続される。そして、図１における左側の水道管接続部１１Ｊの内部空間が上流側端部流路１２をなす一方、反対側の水道管接続部１１Ｋの内部空間が下流側端部流路１３をなしている。
【００２４】
メータ受容部１１Ｂは上端から下端に向かうに従って緩やかに縮径した円筒内面を備え、その円筒内面のうち、周方向で互いに１８０度離れた位置に上流側端部流路１２及び下流側端部流路１３の各開口１２Ａ，１３Ａが配置されている。メータ受容部１１Ｂの上端には開放口１４が形成され、この開放口１４から水道メータ２０Ｂを収容した可動部材３０Ｂが挿入されている。そして可動部材３０Ｂはメータ受容部１１Ｂに対して通水位置と止水位置との間で回動可能に嵌合されている。なお、メータ受容部１１Ｂの上端内周面に嵌合されたＣリング１５が可動部材３０Ｂを抜け止めしている。
【００２５】
水道メータ２０Ｂは、上端から下端に向かうに従って緩やかに縮径した円柱構造をなし、上端寄り部分に計測流路２１を備える。計測流路２１は水道メータ２０Ｂを径方向に貫通しており、この計測流路２１を流れる水道水の通過体積が、所謂、超音波、電磁誘導又は羽根車を利用して計量される。
【００２６】
図１に示すように、水道メータ２０Ｂの上端部には外周面の全周に亘ってＯリング溝が形成され、ここに装着されたＯリング２３Ａが可動部材３０Ｂの内周面に密着している。また、図５に示すように、水道メータ２０Ｂの外周面のうち、周方向で互いに１８０度離れた位置には、水道メータ２０Ｂと後述する可動部材３０Ｂとを一体回動可能に連結した１対の連結凸部２４，２４が設けられている。
【００２７】
さらに、水道メータ２０Ｂの上端には水道水の計量結果を表示するための表示部Ｍが一体に設けられて中間金具１０Ｂから露出している。表示部Ｍは、所謂、バヨネット式の係止構造を備え、周縁部に形成された複数の係止爪によりメータ受容部１１Ｂの上端縁に係止されている。
【００２８】
さて、可動部材３０Ｂは以下のようである。可動部材３０Ｂは下端有底の円筒構造をなし、メータ受容部１１Ｂ及び水道メータ２０Ｂの形状に対応して上端から下端に向かって緩やか縮径している。可動部材３０Ｂのうち、その周方向で互いに１８０度離れた位置には、可動部材３０Ｂの円筒壁部を貫通した上流側中継流路３１Ａ及び下流側中継流路３１Ｂが形成されている。
【００２９】
図１に示すように、可動部材３０Ｂの上端には外周面の全周に亘ってＯリング溝が形成され、ここに装着されたＯリング３３Ａがメータ受容部１１Ｂの内面に密着している。また、図５に示すように、可動部材３０Ｂの内面の周方向で互いに１８０度離れた位置には、１対の連結溝３４，３４が形成され、ここに水道メータ２０Ｂの連結凸部２４，２４が凹凸嵌合している。連結溝３４は可動部材３０Ｂの軸方向（図５における上下方向）に延びて、上端開口３２側に開放している。連結凸部２４，２４と連結溝３４，３４とが凹凸嵌合すると、水道メータ２０Ｂの計測流路２１と可動部材３０Ｂの上流側中継流路３１Ａ及び下流側中継流路３１Ｂとが同軸線上に位置決めされる（図１及び図３の状態）。また、これら連結凸部２４，２４と連結溝３４，３４とにより、水道メータ２０Ｂと可動部材３０Ｂとが一体回動可能されかつ、水道メータ２０Ｂが可動部材３０Ｂに対して挿抜可能とされている。
【００３０】
可動部材３０Ｂの下面中央には、メータ受容部１１Ｂの底面に向かって突出したボス３６が形成されている。即ち、可動部材３０Ｂの下面のうち、ボス３６のみがメータ受容部１１Ｂの底面に接触し、その他の部分がメータ受容部１１Ｂの底面から浮いている。これにより、可動部材３０Ｂの下面全体がメータ受容部１１Ｂの底面に接触したものに比べて、可動部材３０Ｂをメータ受容部１１Ｂに対して回動させる際に可動部材３０Ｂの下面にかかる摩擦が軽減され、可動部材３０Ｂを回動させ易くなっている。
【００３１】
ところで、可動部材３０Ｂの外周面にはバイパス流路３７が形成されている。バイパス流路３７は、可動部材３０Ｂの外周面を半周に亘って陥没させた溝構造をなしている。詳細には、可動部材３０Ｂのうち、上流側中継流路３１Ａから周方向における一方向（図３における時計回り方向）に約４５度離れた位置にはバイパス入口部３７Ａが形成され、下流側中継流路３１Ｂから周方向における一方向に約４５度離れた位置にはバイパス出口部３７Ｂが形成されている。そして、バイパス流路３７は、バイパス入口部３７Ａから斜め下方に延び、可動部材３０Ｂの下端寄り部分を周方向に延びて下流側中継流路３１Ｂの下方を通り（図１を参照）、ここから斜め上方に延びてバイパス出口部３７Ｂに繋がっている（図２を参照）。なお、バイパス流路３７は、可動部材３０Ｂの外周面を全周に亘って陥没させた溝構造をなしていてもよい。
【００３２】
本実施形態の水道メータシステム２００に関する構成は以上であり、以下動作について説明する。水道水の通過体積を計量する場合には、可動部材３０Ｂを通水位置に配置する。具体的には、例えば、水道メータ２０Ｂの表示部Ｍに付された目印をメータ受容部１１Ｂに付された通水位置用の目印に一致させる。すると、図１及び図３に示すように、中間金具１０Ｂの上流側端部流路１２及び下流側端部流路１３と、可動部材３０Ｂの上流側中継流路３１Ａ及び下流側中継流路３１Ｂと、水道メータ２０Ｂの計測流路２１とが同軸線状に配置される。即ち、水道水が上流側端部流路１２から計測流路２１を通過して下流側端部流路１３に向かって流れて、計測流路２１を通過する際に水道水の通過体積が計量される。
【００３３】
さて、水道メータ２０Ｂを検査或いは交換する場合には以下の手順により、水道メータ２０Ｂを中間金具１０Ｂから取り外す。具体的には、まず、可動部材３０Ｂを通水位置から止水位置に向けて（図３における反時計回り方向）に回動操作する。具体的には、例えば、表示部Ｍを把持して、その表示部Ｍに付された目印をメータ受容部１１Ｂに付された止水位置用の目印に近づけるように回動操作する。すると、水道メータ２０Ｂと共に可動部材３０Ｂが一体回動し、可動部材３０Ｂの上流側中継流路３１Ａ及び下流側中継流路３１Ｂが中間金具１０Ｂの上流側端部流路１２及び下流側端部流路１３に対して徐々にずらされる。そして、可動部材３０Ｂが図３における反時計回り方向に約４５度回動されて止水位置に至ると、図４の（Ａ）に示すように、上流側中継流路３１Ａ及び下流側中継流路３１Ｂがメータ受容部１１Ｂの内面で塞がれ、代わりに、上流側端部流路１２の開口１２Ａとバイパス入口部３７Ａ、及び、下流側端部流路１３の開口１３Ａとバイパス出口部３７Ｂとがそれぞれ整合する。つまり、上流側端部流路１２と上流側中継流路３１Ａとの間、及び、下流側端部流路１３と下流側中継流路３１Ｂとの間が断絶する代わりに、上流側端部流路１２と下流側端部流路１３とがバイパス流路３７により連絡される。このとき、表示部Ｍに備えたバヨネットとメータ受容部１１Ｂの上端縁との係止が解除されるので表示部Ｍを把持して水道メータ２０Ｂを上方に引き上げ、可動部材３０Ｂの上端開口３２から抜き取る。
【００３４】
このとき、水道水は、可動部材３０Ｂの内側に流れ込むことはなく、バイパス流路３７を通って上流側端部流路１２から下流側端部流路１３に向けて流される（図４の（Ｂ）を参照）。
【００３５】
検査の済んだ水道メータ２０Ｂ或いは新規な水道メータ２０Ｂは、可動部材３０Ｂの上端開口３２から挿入して、水道メータ２０Ｂの連結凸部２４，２４と可動部材３０Ｂの連結溝３４，３４とを凹凸嵌合させＣリング１５で固定する。そして、水道メータ２０Ｂを回動操作（図４の（Ａ）における時計回り方向へ約４５度回動操作）することで回動操作可動部材３０Ｂを止水位置から通水位置に戻せば、上流側端部流路１２と上流側中継流路３１Ａとの間、及び、下流側中継流路３１Ｂと下流側端部流路１３との間が連通して計測流路２１に水道水が流され、再び水道水の通過体積が計量可能となる。
【００３６】
このように、本実施形態の水道メータシステム２００によれば、可動部材３０Ｂを第１と第２の位置の間で移動する一操作で、上流側端部流路１２と上流側中継流路３１Ａとの間、及び、下流側端部流路１３と下流側中継流路３１Ｂとの間を断絶する代わりに、上流側端部流路１２と下流側端部流路１３とをバイパス流路３７により連絡することができ、断水させることなく水道メータ２０Ｂの着脱操作を行うことができると共に、従来より効率よく水道メータ２０Ｂの着脱作業を行うことが可能になる。また、可動部材３０Ｂを止水位置に配置すると可動部材３０Ｂが止水部として機能して、水道メータ２０Ｂよりも上流側と下流側との両方から水道水が可動部材３０Ｂの内側に流れ込まなくなるので、水道メータ２０Ｂを取り外した後の中間金具１０Ａからの水道水の放水が防がれる。しかも、止水部として機能する可動部材３０Ｂは、メータ受容部１１Ｂの内側に配置されているので、止水部とメータ受容部とを水道管との接続方向に横並びに配置した従来の水道メータシステムに比較して全長を短くすることができる。従って、従来の止水部を備えた水道メータシステムに比べて設置スペースを省スペース化できる。
【００３７】
なお、本実施形態の水道メータシステム２００では、水道メータ２０Ｂの着脱時に断水状態にすることも可能である。具体的には、可動部材３０Ｂを止水位置とは反対方向（図３における時計回り方向）に約４５度回動すれば、上流側端部流路１２及び下流側端部流路１３の各開口１２Ａ，１３Ａが可動部材３０Ｂの外面で塞がれて、上流側端部流路１２と下流側端部流路１３との間が断絶する。すると、水道水は上流側端部流路１２及び下流側端部流路１３の内部でそれぞれ堰き止められて可動部材３０Ｂの内側及びバイパス流路３７に流れ込まなくなる。また、常には、水道メータ２０Ｂと中間金具１０Ｂとの間を図示しない回動禁止部材によって連結して、水道メータ２０Ｂの中間金具１０Ｂに対する回動操作を禁止しておけば、正規の作業者ではない者が水道メータ２０Ｂを回動操作して、水道水が水道メータ２０Ｂを経由せずにバイパス流路３７を経由して不正に供給されることを防止できる。 
【００３８】
［第２実施形態］
本発明の第２実施形態を図６〜図１０に基づいて説明する。この第２実施形態は、主に、可動部材の構成を前記第１実施形態と異ならせたものである。以下、前記第１実施形態と同じ構成については、同一符号を付す。
【００３９】
図６には、本実施形態に係る水道メータシステム３００の全体構造が示されている。水道メータシステム３００のうち中間金具１０Ｃは、下端有底の円筒構造をなしたメータ受容部１１Ｃの外周面から相反する方向に１対の水道管接続部１１Ｊ，１１Ｋを延設した構造をなし、これら水道管接続部１１Ｊ，１１Ｋが、図示しない水道管に接続される。そして、図６における左側の水道管接続部１１Ｊの内部空間が上流側端部流路１２をなす一方、反対側の水道管接続部１１Ｋの内部空間が下流側端部流路１３をなしている。
【００４０】
メータ受容部１１Ｃは円筒内面を備え、その円筒内面のうち、周方向で互いに１８０度離れた位置に上流側端部流路１２及び下流側端部流路１３の各開口１２Ａ，１３Ａが配置されている。メータ受容部１１Ｃの上端には開放口１４が形成され、この開放口１４から水道メータ２０Ｂを収容した可動部材３０Ｂが挿入されている。そして、可動部材３０Ｂはメータ受容部１１Ｃに対して通水位置と止水位置との間で回動可能に嵌合されている。なお、メータ受容部１１Ｃの上端内周面に嵌合されたＣリング１５が可動部材３０Ｂを抜け止めしている。
【００４１】
水道メータ２０Ｂは、円柱構造をなし、下端寄り部分に計測流路２１を備える。計測流路２１は水道メータ２０Ｂを径方向に貫通しており、この計測流路２１を流れる水道水の通過体積が、所謂、超音波、電磁誘導又は羽根車を利用して計量される。
【００４２】
図６に示すように、水道メータ２０Ｂの上端には、外周面の全周に亘ってＯリング溝が形成され、ここにＯリング２３Ａが装着されている。また、水道メータ２０Ｂの外面には、計測流路２１の上流側の開口縁を囲むようにＯリング溝が形成され、ここにＯリング２３Ｂが装着されている。これらＯリング２３Ａ，２３Ｂは可動部材３０Ｂの内周面に押し潰されて密着している。
【００４３】
また、図５に示すように、水道メータ２０Ｂの外周面のうち、周方向で互いに１８０度離れた位置には、水道メータ２０Ｂと後述する可動部材３０Ｂとを一体回動可能に連結した１対の連結凸部が設けられている。
【００４４】
水道メータ２０Ｂの上端には計量結果を表示するための表示部Ｍが一体に設けられて中間金具１０Ｃから露出している。表示部Ｍは、所謂、バヨネット式の係止構造を備え、周縁部に形成された複数の係止爪によりメータ受容部１１Ｃの上端縁に係止されている。
【００４５】
さて、可動部材３０Ｂは、以下のようである。可動部材３０Ｂは下端有底の円筒形状をなして水道メータ２０Ｂのほぼ全体を収容し、その周方向で互いに１８０度離れた位置に、可動部材３０Ｂの円筒壁部を貫通した上流側中継流路３１Ａ及び下流側中継流路３１Ｂが形成されている。
【００４６】
図６に示すように、可動部材３０Ｂの上端には外周面の全周に亘ってＯリング溝が形成され、ここにＯリング３３Ａが装着されている。また、可動部材３０Ｂの外周面には、上流側中継流路３１Ａの開口縁を囲むようにＯリング溝が形成され、ここにＯリング３３Ｂが装着されている。これらＯリング３３Ａ，３３Ｂはメータ受容部１１Ｃの内面に押し潰されて密着している。
【００４７】
図５に示すように、可動部材３０Ｂの上端内面のうち、周方向で互いに１８０度離れた位置には、１対の連結溝３４，３４が形成されている。連結溝３４は可動部材３０Ｂの軸方向に延びて、上端開口３２側に開放している。そして、この連結溝３４に水道メータ２０Ｂの連結凸部が凹凸嵌合することで、水道メータ２０Ｂの計測流路２１と可動部材３０Ｂの上流側中継流路３１Ａ及び下流側中継流路３１Ｂとが同一軸線状に配置されるように位置決めされている。また、これら連結溝３４と連結凸部とにより、水道メータ２０Ｂと可動部材３０Ｂとを一体回動可能としつつ、水道メータ２０Ｂを可動部材３０Ｂに対して挿抜可能としてある。
【００４８】
可動部材３０Ｂの下面中央には、メータ受容部１１Ｃの底面に向かって突出したボス３６が形成されている。即ち、可動部材３０Ｂの下面のうち、ボス３６のみがメータ受容部１１Ｃの底面に接触し、その他の部分がメータ受容部１１Ｃの底面から浮いている。これにより、可動部材３０Ｂの下面全体がメータ受容部１１Ｃの底面に接触したものに比べて、可動部材３０Ｂをメータ受容部１１Ｃに対して回動させる際に可動部材３０Ｂの下面にかかる摩擦が軽減され、可動部材３０Ｂを回動させ易くなっている。
【００４９】
ところで、可動部材３０Ｂの外周面には、バイパス流路３７が形成されている。バイパス流路３７は、可動部材３０Ｂの外周面を半周に亘って陥没させた溝構造をなしている。詳細には、可動部材３０Ｂのうち、上流側中継流路３１Ａから周方向における一方向（図８における時計回り方向）に約４５度離れた位置には、バイパス入口部３７Ａが形成され、下流側中継流路３１Ｂから周方向における一方向に約４５度離れた位置には、バイパス出口部３７Ｂが形成されている。そして、バイパス流路３７は、バイパス入口部３７Ａから斜め上方に延び、可動部材３０Ｂの上端寄り部分を周方向に延びて下流側中継流路３１Ｂの上方を通り（図６を参照）、ここから斜め下方に延びてバイパス出口３７Ｂに繋がっている（図７を参照）。なお、バイパス流路は、可動部材３０Ｂの外周面を全周に亘って陥没させた溝構造をなしていてもよい。
【００５０】
可動部材３０Ｂの外周面のうち、周方向において上流側中継流路３１Ａを挟んでバイパス入口部３７Ａと反対側の部分（図８において上流側中継流路３１Ａから反時計回り方向に約４５度離れた部分）、及び、下流側中継流路３１Ｂを挟んでバイパス出口部３７Ｂと反対側の部分（図８において下流側中継流路３１Ｂから反時計回り方向に約４５度離れた部分）には、上流側端部流路１２及び下流側端部流路１３の各開口１２Ａ，１３Ａよりも大きな径を有する環状溝が形成され、ここにＯリング３３Ｃ，３３Ｃが装着されている。Ｏリング３３Ｃ，３３Ｃは、メータ受容部１１Ｃの内面に押し潰されて密着するようになっている。
【００５１】
本実施形態の水道メータシステム３００に関する構成は以上であり、以下動作について説明する。水道水の通過体積を計量する場合には、可動部材３０Ｂを通水位置に配置する。具体的には、例えば、水道メータ２０Ｂの表示部Ｍに付された目印をメータ受容部１１Ｂに付された通水位置用の目印に一致させように水道メータ２０Ｂを回動操作する。すると、水道メータ２０Ｂと共に可動部材３０Ｂが一体回動し、図６及び図８に示すように、中間金具１０Ｃの上流側端部流路１２及び下流側端部流路１３と、可動部材３０Ｂの上流側中継流路３１Ａ及び下流側中継流路３１Ｂと、水道メータ２０Ｂの計測流路２１とが同軸線上に配置される。即ち、水道水が上流側端部流路１２から計測流路２１を通過して下流側端部流路１３に向かって流れて、計測流路２１を通過する際に水道水の通過体積が計量される。
【００５２】
さて、水道メータ２０Ｂを検査或いは交換する場合には以下の手順により、水道メータ２０Ｂを中間金具１０Ｃから取り外す。まず、可動部材３０Ｂを通水位置から止水位置に向けて（図８における反時計回り方向）に回動操作する。具体的には、表示部Ｍを把持して、表示部Ｍの目印をメータ受容部１１Ｂに付された止水位置用の目印に近づけるように水道メータ２０Ｂを回動操作する。すると、可動部材３０Ｂが水道メータ２０Ｂと一体に回動し、可動部材３０Ｂの上流側中継流路３１Ａ及び下流側中継流路３１Ｂが中間金具１０Ｃの上流側端部流路１２及び下流側端部流路１３に対して徐々にずらされる。そして、可動部材３０Ｂが図８における反時計回り方向に約４５度回動されて止水位置に至ると、図９の（Ａ）に示すように、上流側中継流路３１Ａ及び下流側中継流路３１Ｂがメータ受容部１１Ｃの内面で塞がれ、代わりに、上流側端部流路１２の開口１２Ａとバイパス入口部３７Ａ、及び、下流側端部流路１３の開口１３Ａとバイパス出口部３７Ｂとが整合する。つまり、上流側端部流路１２と上流側中継流路３１Ａとの間、及び、下流側端部流路１３と下流側中継流路３１Ｂとの間が断絶する代わりに、上流側端部流路１２と下流側端部流路１３とがバイパス流路３７により連絡される。このとき、表示部Ｍに備えたバヨネットとメータ受容部１１Ｂの上端縁との係止が解除されるので、水道メータ２０Ｂを上方に引き上げ、可動部材３０Ｂの上端開口３２から抜き取る。
【００５３】
このとき、水道水は、可動部材３０Ｂの内側に流れ込むことはなく、バイパス流路３７を通って上流側端部流路１２から下流側端部流路１３に向けて流される（図９の（Ｂ）を参照）。
【００５４】
また、水道メータ２０Ｂの着脱操作時に断水状態にする場合は、可動部材３０Ｂを通水位置から、止水位置とは反対方向（図８における時計回り方向）に約４５度回動する。すると、図１０に示すように、上流側端部流路１２及び下流側端部流路１３の各開口１２Ａ，１３Ａが可動部材３０Ｂの外面で塞がれて、上流側端部流路１２と下流側端部流路１３との間が断絶する。そして、水道水は上流側端部流路１２及び下流側端部流路１３の内部で堰き止められて可動部材３０Ｂの内側及びバイパス流路３７に流れ込まなくなる。
【００５５】
このとき、可動部材３０Ｂの外面に装着されたＯリング３３Ｃ，３３Ｃが、上流側端部流路１２及び下流側端部流路１３の各開口１２Ａ，１３Ａを囲むようにメータ受容部１１Ｃの内面に密着するので、堰き止められた水道水がメータ受容部１１Ｃと可動部材３０Ｂとの隙間に浸入することが防がれる。
【００５６】
検査の済んだ水道メータ２０Ｂ或いは新規な水道メータ２０Ｂは、可動部材３０Ｂの上端開口３２から挿入して、水道メータ２０Ｂの連結凸部２４，２４と可動部材３０Ｂの連結溝３４とを凹凸嵌合させ、Ｃリング１５で固定する。そして、水道メータ２０Ｂを回動操作することで可動部材３０Ｂを通水位置に戻せば、再び水道メータシステム３００の計量流路２１に通水されて、水道水の通過体積が計量可能となる。
本実施形態の水道メータシステム３００によれば、上記第１実施形態と同等の効果を奏することができる。
【００５７】
［第３実施形態］
本発明の第３実施形態を図１１〜図１５に基づいて説明する。なお、前記第１，第２実施形態と同じ構成については、同一符号を付す。
【００５８】
図１１には、本実施形態に係る水道メータシステム４００の全体構造が示されている。水道メータシステム４００のうち中間金具１０Ｄは、下端有底の円筒形状をなしたメータ受容部１１Ｄの外周面から相反する方向に１対の水道管接続部１１Ｊ，１１Ｋを延設した構造をなし、これら水道管接続部１１Ｊ，１１Ｋが、図示しない水道管に接続される。水道管接続部１１Ｊ，１１Ｋのメータ受容部１１Ｄ寄り部分は、メータ受容部１１Ｄに近づくに従って窄んで内部空間を徐々に絞った構造をなしている。そして、図１１における左側の水道管接続部１１Ｊの内部空間が上流側端部流路１２をなす一方、反対側の水道管接続部１１Ｋの内部空間が下流側端部流路１３をなしている。
【００５９】
メータ受容部１１Ｄは円筒内面を備え、その円筒内面のうち、周方向で互いに１８０度離れた位置に上流側端部流路１２及び下流側端部流路１３の各開口１２Ａ，１３Ａが配置されている。これら各開口１２Ａ，１３Ａは、図１３の（Ｂ）に示すように、横長の矩形状をなしている。
【００６０】
図１５の（Ａ）に示すように、メータ受容部１１Ｄの周壁にはパッキン着脱用窓１１Ｒが貫通形成されている。パッキン着脱用窓１１Ｒは、両水道管接続部１１Ｊ，１１Ｋから９０度ずつ離れた位置に設けられている。パッキン着脱用窓１１Ｒは横長矩形状をなし、通常使用時は蓋体１１Ｓによって塞がれている（図１３の（Ａ）を参照）。
【００６１】
メータ受容部１１Ｄの底壁には位置決め凸部１１Ｐが設けられている。位置決め凸部１１Ｐはメータ受容部１１Ｄの底壁から起立してメータ受容部１１Ｄの径方向（図１１における紙面に直交する方向）に延びた壁構造をなしている。
【００６２】
メータ受容部１１Ｄの上端には開放口１４が形成され、その開放口１４から水道メータ２０Ｄを収容した可動部材３０Ｄが挿入されている。そして可動部材３０Ｄは、メータ受容部１１Ｄに対して後述する通水位置と止水位置との間で回動可能に嵌合されている。
【００６３】
水道メータ２０Ｄは、メータ受容部１１Ｄよりも長い円柱構造をなし、下端寄り部分に水道メータ２０Ｄを径方向に貫通した計測流路２１を備える。計測流路２１は、幅方向の寸法に比べて高さ方向の寸法が短い断面扁平空間で構成され、この計測流路２１を流れる水道水の通過体積が、所謂、超音波、電磁誘導又は羽根車を利用して計量される。水道メータ２０Ｄの外周面で、計測流路２１よりも上側部分と下側部分とには、外周面の全周に亘ってＯリング溝が形成され、ここに装着されたＯリング２３Ｃ，２３Ｃが可動部材３０Ｄの内面に密着している。さらに、水道メータ２０Ｄの下面中央には、位置決め凹部２５が形成され、ここにメータ受容部１１Ｄの位置決め凸部１１Ｐが凹凸嵌合している（図１１及び図１２を参照）。位置決め凹部２５と位置決め凸部１１Ｐとが凹凸嵌合すると、水道メータ２０Ｄの計測流路２１と、上流側端部流路１２及び下流側端部流路１３の各開口１２Ａ，１３Ａとが同軸線上に配置されかつ、水道メータ２０Ｄがメータ受容部１１Ｄに対して回り止めされる。
【００６４】
水道メータ２０Ｄの上端には水道水の計量結果を表示するための表示部Ｍが一体に設けられている。表示部Ｍは、水道メータ２０Ｄよりも径の大きい扁平な円柱構造をなしている。そして、通常使用時には、表示部Ｍの周縁部に係止された連結ナット８１が次述する可動部材３０Ｄの上端部に締め付けられて、水道メータ２０Ｄと可動部材３０Ｄとが一体に固定されている。なお、水道メータ２０Ｄと中間金具１０Ｄとの間は、常には図示しない取り外し防止部材によって連結されており、正規の作業者ではない者によって不正に水道メータ２０Ｄが取り外されることが防止されている。 
【００６５】
さて、可動部材３０Ｄは、以下のようである。可動部材３０Ｄは、メータ受容部１１Ｄよりも長い両端開放の円筒構造をなし、その周方向で互いに１８０度離れた位置には、可動部材３０Ｄの円筒壁部を貫通した上流側中継流路３１Ａ及び下流側中継流路３１Ｂが形成されている。これら上流側中継流路３１Ａ及び下流側中継流路３１Ｂは、計測流路２１と同様に、幅方向の寸法に比べて高さ方向の寸法が短い断面扁平空間で構成されている。
【００６６】
図１４に示すように、可動部材３０Ｄの外面には、両中継流路３１Ａ，３１Ｂの各開口を囲むようにパッキン装着溝が形成され、ここに装着されたパッキン３３Ｄ，３３Ｄがメータ受容部１１Ｄの内面に密着するようになっている（図１１を参照）。
【００６７】
可動部材３０Ｄのうち中間金具１０Ｄの開放口１４から露出した部分には固定用フランジ部３９Ａが形成され、この固定用フランジ３９Ａがメータ受容部１１Ｄの上端部に突き当たっている。また、固定用フランジ３９Ａの上方には、側方に張り出した操作用グリップ３９Ｂ（本発明の「操作部」に相当する）が設けられ、操作用グリップ３９Ｂと固定用フランジ３９Ａとの間の溝部に連結ナット８０が係止されている。そして通常使用時には、この連結ナット８０がメータ受容部１１Ｄの上端部に締め付けられて、可動部材３０Ｄがメータ受容部１１Ｄに対して回動不能に固定されている。
【００６８】
ところで、可動部材３０Ｄを構成する円筒壁部の内部にはバイパス流路３８が形成されている。図１５の（Ａ）に示すように、バイパス流路３８は、可動部材３０Ｄのほぼ半周に亘って延びている。
【００６９】
詳細には、上流側中継流路３１Ａから周方向における一方向（図１５（Ａ）における時計回り方向）に約９０度離れた位置と、下流側中継流路３１Ｂから周方向における一方向に約９０度離れた位置とには、バイパス流路３８の端部空間３８Ａ，３８Ａが形成され、これら両端部空間３８Ａ，３８Ａを１対の閉塞流路３８Ｃ，３８Ｃによって連絡した構造をなす。
【００７０】
図１２に示すように、両端部空間３８Ａ，３８Ａは、奥行き幅が上下方向の幅に比べて薄い扁平空間となっており、メータ受容部１１Ｄの内面側に開口している。これら両端部空間３８Ａ，３８Ａの開口は、上流側端部流路１２及び下流側端部流路１３の各開口１２Ａ，１３Ａの形状に対応して横長矩形状をなしている。
【００７１】
一方、図１１に示すように、閉塞流路３８Ｃ，３８Ｃは周囲を円筒壁部によって塞がれており、幅寸法に比べて上下寸法が短い扁平空間となっている。閉塞流路３８Ｃ，３８Ｃは、図１５の（Ａ）に示すように、円筒壁部の内部を可動部材３０Ｄの周方向に沿って円弧状に延びかつ、図１５の（Ｂ）に示すように、可動部材３０Ｄの円筒壁部の内部で上流側中継流路３１Ａを上下方向から挟むように立体交差して互いに平行となっている。
【００７２】
図１４に示すように、可動部材３０Ｄの外周面には、バイパス流路３８の両端部空間３８Ａ，３８Ａの開口を囲むように、パッキン３３Ｅ，３３Ｅが装着されている。これらパッキン３３Ｅ，３３Ｅは、可動部材３０Ｄの外周面に陥没形成されたパッキン装着溝に嵌合され、メータ受容部１１Ｄの内面に密着するようになっている。
【００７３】
本実施形態の水道メータシステム４００に関する構成は以上であり、以下動作について説明する。水道水の通過体積を計量する場合には、可動部材３０Ｄを通水位置に配置する。具体的には、例えば、可動部材３０Ｄに付された位置決め用の目印を中間金具１０Ｄに付された通水位置用の目印に一致させる。すると、図１１に示すように、中間金具１０Ｄの上流側端部流路１２及び下流側端部流路１３の各開口１２Ａ，１３Ａと、可動部材３０Ｄの上流側中継流路３１Ａ及び下流側中継流路３１Ｂと、水道メータ２０Ｄの計測流路２１とが同一軸線上に配置される。即ち、水道水が上流側端部流路１２から計測流路２１を通って下流側端部流路１３に向かって流れて、計測流路２１を通過する際に水道水の通過体積が計量される。
【００７４】
さて、水道メータ２０Ｄを検査或いは交換する場合には、以下の手順により水道メータ２０Ｄを中間金具１０Ｄから取り外す。まず連結ナット８０，８１を緩めて、可動部材３０Ｄをメータ受容部１１Ｄ及び水道メータ２０Ｄに対して回動可能な状態とする。次に、可動部材３０Ｄの操作用グリップ３９Ｂを工具或いは手で握って通水位置から止水位置に向けて回動操作する。具体的には、例えば、可動部材３０Ｄの目印をメータ受容部１１Ｄに付された止水位置用の目印に近づける。すると、可動部材３０Ｄが水道メータ２０Ｄの外面とメータ受容部１１Ｄの内面とに摺接しながら回動し、上流側中継流路３１Ａが上流側端部流路１２の開口１２Ａに対してずらされると共に、下流側中継流路３１Ｂが下流側端部流路１３の開口１３Ａに対してずらされる。
【００７５】
そして、可動部材３０Ｄが通水位置から約９０度回転されて止水位置になると（図１５の（Ａ）の状態）、上流側端部流路１２の開口１２Ａには、上流側中継流路３１Ａの代わりにバイパス流路３８の一方の端部空間３８Ａが整合し、下流側端部流路１３の開口１３Ａには、下流側中継流路３１Ｂの代わりにバイパス流路３８の他方の端部空間３８Ａが整合する。つまり、上流側端部流路１２と上流側中継流路３１Ａとの間、及び、下流側端部流路１３と下流側中継流路３１Ｂとの間が断絶する代わりに、上流側端部流路１２と下流側端部流路１３とがバイパス流路３８により連絡される。この状態で、連結ナット８１を取り外して水道メータ２０Ｄ及び表示部Ｍを可動部材３０Ｄの上端開口３２から上方へ引き抜く。このとき、水道水は、可動部材３０Ｄの内側に流れ込むことはなく、バイパス流路３８を通って上流側端部流路１２から下流側端部流路１３に向けて流される（図１５の（Ｂ）を参照）。
【００７６】
検査の済んだ水道メータ２０Ｄ或いは新規な水道メータ２０Ｄは、可動部材３０Ｄの上端開口３２から挿入して、水道メータ２０Ｄの位置決め凹部２５とメータ受容部１１Ｄの位置決め凸部１１Ｐとを凹凸嵌合させる。次に、可動部材３０Ｄを、水道メータ２０Ｄの取り外し時とは反対方向に９０度回動して通水位置に戻せば、上流側端部流路１２と上流側中継流路３１Ａとの間、及び、下流側中継流路３１Ｂと下流側端部流路１３との間が連通して計測流路２１に水道水が流れる。そして、最後に、連結ナット８０，８１を締め付けて可動部材３０Ｄと水道メータ２０Ｄとを中間金具１０Ｄに固定すれば、再び水道水の通過体積が計量可能となる。
【００７７】
ところで、本実施形態の水道メータシステム４００によれば、可動部材３０Ｄの外周面に装着されたパッキン３３Ｄ，３３Ｅを中間金具１０Ｄの外部からメンテナンスすることができる。具体的には、例えば、可動部材３０Ｄを通水位置に配置した状態で蓋体１１Ｓを取り外すと、パッキン着脱用窓１１Ｒから、バイパス流路３８の端部空間３８Ａ，３８Ａの開口を囲んだパッキン３３Ｅ，３３Ｅの何れか一方が中間金具１０Ｄの外部に露出される。そして、パッキン着脱用窓１１Ｒを介して、そのパッキン３３Ｅを点検・交換する。このとき、水道水は、上流側中継流路３１Ａ及び下流側中継流路３１Ｂと、計測流路２１とを通って下流側に流されている。
【００７８】
パッキン３３Ｅの点検・交換が終わったら、可動部材３０Ｄを９０度回転させて止水位置にする（図１５の（Ａ）の状態）。すると、上流側中継流路３１Ａ又は下流側中継流路３１Ｂの開口を囲んだパッキン３３Ｄ，３３Ｄの何れか一方がパッキン着脱用窓１１Ｒから外部に露出される。そして、パッキン着脱用窓１１Ｒを介してこのパッキン３３Ｄを点検・交換する。このとき、水道水はバイパス流路３８を通って下流側に流されている。
【００７９】
以下同様に、可動部材３０Ｄを一方向に９０度回転させる毎にパッキン着脱用窓１１Ｒからパッキン３３Ｅとパッキン３３Ｄとが交互に露出するので、その都度、点検・交換を行う。全てのパッキン３３Ｄ，３３Ｅの点検・交換が終わったら最後にパッキン着脱用窓１１Ｒに蓋体１１Ｓを取り付けてパッキン３３Ｄ，３３Ｅのメンテナンス作業は終了である。
【００８０】
このように、本実施形態によれば、上記第１，第２実施形態と同等の効果を奏すると共に、断水させることなくパッキン３３Ｄ，３３Ｅのメンテナンス作業を行うことができる。
【図面の簡単な説明】
【００８１】
【図１】第１実施形態に係る水道メータシステムの正断面図
【図２】可動部材の斜視図
【図３】通水状態における水道メータシステムの平断面図
【図４】（Ａ）バイパス流路による通水状態時の水道メータシステムの平断面図（Ｂ）正断面図
【図５】水道メータと可動部材の分解斜視図
【図６】第２実施形態に係る水道メータシステムの正断面図
【図７】可動部材の斜視図
【図８】通水状態における水道メータシステムの平断面図
【図９】（Ａ）バイパス流路による通水状態時の水道メータシステムの平断面図（Ｂ）正断面図
【図１０】止水状態における水道メータシステムの平断面図
【図１１】第３実施形態に係る水道メータシステムの正断面図
【図１２】水道メータシステムの側断面図
【図１３】（Ａ）水道メータシステムの正面図（Ｂ）側面図
【図１４】可動部材の斜視図
【図１５】（Ａ）バイパス流路による通水状態時の水道メータシステムの平断面図（Ｂ）図１５の（Ａ）におけるＸ−Ｘ断面図
【符号の説明】
【００８２】
１０Ｂ〜１０Ｄ    中間金具
１１Ｂ〜１１Ｄ    メータ受容部
１１Ｊ，１１Ｋ    水道管接続部
１２    上流側端部流路
１３    下流側端部流路
２０Ｂ，２０Ｄ    水道メータ
２１    計測流路
３０Ｂ，３０Ｄ    可動部材
３１Ａ    上流側中継流路
３１Ｂ    下流側中継流路
３７，３８    バイパス流路
２００〜４００    水道メータシステム
【図１】
0005046314.tif 000002
【図２】
0005046314.tif 000003
【図３】
0005046314.tif 000004
【図４】
0005046314.tif 000005
【図５】
0005046314.tif 000006
【図６】
0005046314.tif 000007
【図７】
0005046314.tif 000008
【図８】
0005046314.tif 000009
【図９】
0005046314.tif 000010
【図１０】
0005046314.tif 000011
【図１１】
0005046314.tif 000012
【図１２】
0005046314.tif 000013
【図１３】
0005046314.tif 000014
【図１４】
0005046314.tif 000015
【図１５】
0005046314.tif 000016